(57)【要約】【課題】療養者がベッドから転落して怪我をしたり介護者が腰痛になったりする。更にヘッドボードやフットボードが高いと圧迫感があり、又ヘッド側及びフット側からの介護ができない。これらを解決すること。【解決手段】三段伸縮脚の中脚（図２−３）の上端に渡された中脚接続フレームの中央に接続されたリニアアクチュエーター（図２−８）の作動に連動して滑車（図−１２）を介して外脚（図２−２）の内側下段（図２−１５）に取り付けたワイヤーで外脚に取り付けた床フレーム（図５−１８）を床下０ｃｍから介護者の立位の姿勢で介護ができる高さまで昇降させるために、三段伸縮脚にすることで課題を解決する。【選択図】図２
2010158496.tif 000002
【特許請求の範囲】
【請求項１】
三段伸縮却を有し、シリンダー状になった一段目（以下内脚という）は土台フレームに固定し、二段目（以下中脚という）、三段目（以下外脚という）が昇降する無段階昇降低床介護ベッドを構成するベッド床昇降機能に係る技術で、土台中央に垂直に立てたリニアアクチュエーターの先端を左右中脚の上端に渡された中脚接続フレームの中央に固定し、その両端の中脚の先端に滑車を固定し、ワイヤーの片方を土台フレームに固定し、他の一方を外脚の下方内側に固定し、リニアアクチュエーターの上下により伸縮脚が上下し、外脚に固定されたベッド床が上下する無段階昇降低床介護ベッド。
【請求項２】
リニアアクチュエーターを三段伸縮脚の中脚の中間に接続された中脚接続フレームの中間に取り付けられたリニアアクチュエーター取り付け金具を介して固定し、中脚の上下作動によって滑車を介してベッド床を無断階昇降させる機能。
【発明の詳細な説明】
ターを上下させることによって滑車を介してワイヤーが連動して作動し、外脚に固定されたベッド床フレームが上下する。リニアアクチュエーターを最低に下げるとベッド床も最低になり、リニアアクチュエーターを最高に上げるとベッド床も最高になる。リニアアクチュエーターの作動は無段階なので、ベッド床丈も任意に設定できる。
【０００５】また請求項２の発明は、リニアアクチュエーターの固定方法を変えることによって、請求項１と同じくベッド床を上下に作動させることができる。
【発明の効果】
【０００６】本発明によりベッド床丈が布団と同じ高さまで下がるので転落しても怪我をすることなく、介護時にも通常の介護ベッドのように介護者の立位までベッド床が上昇し、介護者の腰の負担を軽減することができ、しかも無段階昇降機能なので車いす等他の介護機器への移乗も楽にできる。しかも三段伸縮脚と滑車を取り入れることによってヘッドボードおよびフットボードを低くでき、圧迫感を取り除き、ヘッド側及びフット側から介護することができるようになる。
【発明を実施するための最良の形態】
【０００７】図１はベッドの伸縮却を閉じた状態の断面図である。同図に示すようにリニアアクチュエーターの伸縮部（図１−９）が縮む状態になりワイヤーに固定された外脚（図５−１５）が降りて、それに固定（図５−１７）されたベッド床が降りる。最下位まで降りた状態が最も低くなる。本発明の可能な最低ベッド床丈（図５−１８）はベッド床フレーム材の厚さである。【０００８】図２はベッド伸縮脚（図２−２，３，４，）を上昇させた断面図である。本発明の主な構造は三段伸縮脚（２−２，，３，，４，）にある。リニアアクチュエーターの伸縮部の上昇に伴い滑車（図２−１２）のワイヤー（図２−１３）が伸びて外脚（図２−２）が引き上げられる。その時伸縮脚（内脚、中脚、外脚）は図−２のように重なるようにするために外脚（図２−２）に固定するワイヤーの位置は外脚の最下方内側になるようにする。本特許のもう一つの特徴はリニアアクチュエーターの伸縮部（図２−９）のストロークによってベッド丈が決まり、滑車を応用することでベッド床はストロークの２倍まであげることが出来る。
現在日本の標準的なベッド高は６０ｃｍ前後であり、その高さまでベッド丈を上げるにはリニアアクチュエーターのストロークは２５ｃｍ以上必要となる。そのためには、さらにリニアアクチュエーターの先端および滑車をどの位置に取りつけるかも重要である。本発明は中脚の最先端（図２−１１）の位置に取り付けてある。そのことは各伸縮脚に一定の重なる部分（図２）を確保するためである。以上の条件（ワイヤーの取り付け位置及びリニアアクチュエーターのストローク）が何故必要かというとヘッドボード（頭側昇降機のカバー）及びフッドボード（足側昇降機カバー）の高さを５５ｃｍ以下に保つためである。高さを５５ｃｍ以下にするのは、ヘッド側及びフッド側からの介護が容易でしかも圧迫感を生じないためである。【０００９】図３は三段伸縮昇降機の斜視図である。本発明の構造は三段伸縮脚を有しリニアアクチュエーターでワイヤーを引っ張り、ベッド床を上下させる構造である。内脚（図３−４）は丸型で台座に固定されている。中脚（図３−３）は昇降機の機能の中心をなすもので、中脚の先端に中脚接続フレームを図−４のように溶接して固定し、外脚（図３−２）の溝にはまるような構造になっている。中脚接続フレームにリニアアクチュエーター、及び滑車が取り付けられている。この中脚の上下によってベッド床が上下する。【００１０】図４は中脚の溶接方法で、外脚（図３−２）の溝（図３−２）に入る幅の中脚接続フレーム（４−６）を使用する。【００１１】図５はベッドの床が上がる状態を説明した図である。昇降機のヘッド側とフット側がワイヤーで巻き上げられるとベッド床フレーム（図５−１８）が点線の位置まで上昇することを示している。【００１２】図６は本ベッドにキャスター（図６−１６）を取り付けた図である。本ベッドは図のように台座（（図６−１０）をコの字型に加工し、キャスターを取り付けることができる。【００１３】図７は請求項２の図で、請求項１のリニアアクチュエーターの作動軸の取り付け方を変えたものであり、その基本作動は請求項１と同じである。中脚昇降フレームを中脚（図７−３）の中程に固定し、リニアアクチュエーターを上下させることでそれに連動してワイヤー（図７−１３，１３’）が作動して外脚（図７−２）に固定されたベッド床が上下する。
【産業上の利用可能性】
【００１４】本発明に関る無段階昇降低床介護ベッドは、工業的に量産することが可能であるため、産業上の利用可能性を有する。
【図面の簡単な説明】
【００１５】
【図１】ベッド昇降機の下降時の断面図
【図２】ベッド昇降機の最高時の断面図
【図３】ベッド昇降機の斜視詳細図
【図４】中脚と中脚接続フレームの詳細図
【図５】ベッドの作動断面図
【図６】キャスター取り付け図
【図７】請求項２の昇降機断面図
【図８】請求項２の中脚斜視図
【符号の説明】１            Ｃ型鋼
２            外脚
３            中脚
４            内脚
５            土台フレーム
６            中脚接続フレーム
７            中脚接続フレーム補強金具
８            リニアアクチュエーター
９            リニアアクチュエーター伸縮部
１０          キャスター用土台フレーム
１１          リニアアクチュエーター先端固定金具
１２          滑車
１３          ワイヤー
１４          ワイヤー土台固定金具
１５          ワイヤー外脚固定金具
１６          キャスター
１７          ベッド床取り付け金具
１８          ベッド床フレーム
１９          中脚昇降フレーム
２０          滑車支柱支えフレーム
２１          滑車支柱
【図１】
2010158496.tif 000003
【図２】
2010158496.tif 000004
【図３】
2010158496.tif 000005
【図４】
2010158496.tif 000006
【図５】
2010158496.tif 000007
【図６】
2010158496.tif 000008
【図７】
2010158496.tif 000009
【図８】
2010158496.tif 000010